(57)【要約】【課題】金属ケースで覆われシールド構造を有するジャックを機器に取り付ける際、印刷配線基板やワイヤといった中継用部品を用いずに、簡単な構成で金属ケースを接地しジャックへのノイズの侵入を防止する。【解決手段】金属のシールドケース２１で覆われたジャック２０を樹脂製のジャック用ケース１０へ収納する。ジャック用ケース１０には端辺部３０ｃと接触部３１を有する導通板３０が取り付けられる。端辺部３０ｃは機器を構成する金属シャーシ４１と接し、接触部３１はジャック２０のシールドケース２１に接触する。シールドケース２１は導通板３０を介してシャーシ４１と導通して接地されシールド効果を発揮する。【選択図】  図８
2008186734.tif 000002
【特許請求の範囲】
【請求項１】
（ａ）樹脂製ハウジングに取り付けられた複数の接続端子とその端子をハウジングとともに覆う金属ケースを有するジャックを収納し、機器へ取り付けるためのジャック用ケースであって、
（ｂ）このジャック用ケースは、
（ｃ）ジャックを機器内側へ取り付ける取り付け部を有する樹脂製ケースと、
（ｄ）樹脂製ケースに保持される接地金属部材とで構成され、
（ｅ）接地金属部材は、
（ｆ）樹脂製ケースに保持される保持部と
（ｇ）その保持部から曲げられてその先端が樹脂製ケースから離間し機器の金属シャーシと弾性的に接する接触部
（ｈ）および樹脂製ケースに設けられた開口から樹脂製ケース内部へ向かって連続して形成されジャックの金属ケースを押圧して接触する導通端部が一体に形成されたことを特徴とするジャック用ケース。
【請求項２】
前記樹脂製ケースには、ジャックから導出されるワイヤを挿通する開口およびその開口周囲に樹脂製ケース外側へ突出する突部が形成され、前記接地金属部材の接触部にその突部を相通する開口が形成されていることを特徴とする請求項１記載のジャック用ケース。
【請求項３】
前記接地金属部材の導通端部は複数の連続片により保持部から連続して形成され、その複数の連続片を連結する連結部により一体に形成されていることを特徴とする請求項１記載のジャック用ケース。
【発明の詳細な説明】
【技術分野】
【０００１】
この発明は、デジタル機器間、例えばデジタル対応テレビなどの映像機器とデジタルビデオカメラ等の外部機器との接続インターフェイスに用いられ、外部機器からの信号を入力するジャックを機器へ取り付けるためのジャック用ケースに関するものである。
【背景技術】
【０００２】
近年デジタル機器同士を接続するインターフェイスの規格として、例えばＩＥＥＥ１３９４が用いられている。このインターフェイスＩＥＥＥ１３９４はホストとなるPCを必要とせず、機器同士の通信が可能になっている。
そのため、いわゆるセットトップボックスと呼ばれるＣＳチューナ内臓の受信機とデジタル対応テレビを繋ぐインターフェイスとして用いられたり、また、デジタルビデオカメラで撮影した画像をデジタルビデオデッキにダビングするといったカメラとビデオデッキとの間のインターフェイスあるいはデジタルビデオカメラで撮影された画像をデジタル対応テレビで視聴するためのテレビとビデオカメラとの間のインターフェイスとしても用いられたりする。
【０００３】
一般にそのような機器にインターフェイスの入力端子としてのジャックを取り付ける場合、端子部分からのノイズの侵入を防ぐことが必要になり、そのため金属ケースで覆われシールド構造を有するジャックを用いる。このようなジャックでは、金属ケースのシールド機能を果たすのに、その金属ケースに設けた足を、やはり機器内に取り付けられる印刷配線板へ半田付け等で導通接続して取り付ける。
金属ケースの足は半田付け等で印刷配線板へ形成した接地パターンへ導通するよう接続固定され、印刷配線板が機器の金属シャーシへ取り付けられる。そして接地パターンが機器の金属シャーシへ導通されることでジャックの金属ケースが接地される。
金属ケースが接地されることで、金属ケースによるジャックのシールド機能が働き、ジャックからノイズが侵入するのを防ぐことができる。
【０００４】
ＩＥＥＥ１３９４等の高速インターフェイスの場合、特にノイズの進入を防ぐことが重要で、そのために印刷配線板への接続を改善したジャックが提案されている。
【特許文献１】特開２００３−２０８９５１  この公報に記載されたジャックの構成を図１１に示す。この構成によれば、まず金属ケースとしての外遮蔽ハウジング３３に設けられた突耳状接地片３１が印刷配線板の接地パターンへ半田付け等で導通固定される。そしてさらに接地部材６を設けその接地部材６によっても印刷配線板への接地を行っている。
【０００５】
このように突耳状接地片３１と接地部材６により接地を行うことでジャックへ侵入しようとするノイズをより確実に遮蔽する。
【発明の開示】
【発明が解決しようとする課題】
【０００６】
上述のような特許文献１に記載された技術をはじめ、一般的にノイズ遮蔽等でシールド機能を要するジャックは金属ケースで覆われ、その金属ケースが機器内に取り付けられる印刷配線板に設けられた接地パターンへ半田付け等で導通固定される。印刷配線基板は機器の金属シャーシ等へ固定され、そして印刷配線板の接地パターンを介して金属ケースが機器の金属シャーシ等へ接地されることになる。
また、そのような印刷配線板には他の回路が一緒に構成され、印刷配線板が共用され大型化されている場合が多い。
【０００７】
しかしながら、近年機器の意匠デザインが多様化され、ジャックの取り付け位置が必ずしも印刷配線板を介して取り付けられるようなところではない場合がある。
そのために専用の印刷配線板を用い、その印刷配線板にジャックを取り付けて接地するとなれば部品点数が増加する。また、その専用の印刷配線板と金属シャーシ部への接続にワイヤを用いるようなことになれば、さらに部品点数が増加し作業工程が増え、機器のコストアップにつながってしまう。
【０００８】
本発明は、このような課題を解決するためになされたものであり、その目的は、簡単な構成でジャックのシールド用金属ケースの接地を確実に行うもので、接地用金属板を有するジャック用ケースを提供するものである。すなわち、本発明はジャックの機器への取り付け構造を提供するもので、本発明によるジャック用ケースを用いれば、印刷配線基板やワイヤといった中継用部品を必要としないため、構成が簡単になるとともにジャックを取り付ける位置の自由度が増し、またコストの上昇を抑えられる。
【課題を解決するための手段】
【０００９】
上記課題を解決するため、本発明は請求項１に示すよう、樹脂製ハウジングに取り付けられた複数の接続端子とその端子をハウジングとともに覆う金属ケースを有するジャックを収納し、機器へ取り付けるためのジャック用ケースであって、このジャック用ケースは、ジャックを機器内側へ取り付ける取り付け部を有する樹脂製ケースと、樹脂製ケースに保持される接地金属部材とで構成され、接地金属部材は、樹脂製ケースに保持される保持部とその保持部から曲げられてその先端が樹脂製ケースから離間し機器の金属シャーシと弾性的に接する接触部および樹脂製ケースに設けられた開口からケース内部へ連続して形成されジャックの金属ケースを押圧して接触する導通端部とが一体に形成されたことを特徴とするジャック用ケースとする。
【００１０】
この構成によるジャック用ケースでは、樹脂製ケースが、ジャックを機器へ取り付けるとともに、ジャックの金属ケースを機器の金属シャーシへ接地する接地金属部材を保持する機能を果たす。すなわち、簡単な構成でジャックの金属ケースを機器の接地電位である金属シャーシに導通接続させることができる。
【００１１】
さらに請求項２に示すよう、前記樹脂製ケースには、ジャックから導出されるワイヤを挿通する開口およびその開口周囲に樹脂製ケース外側へ突出する突部が形成され、前記接地金属部材の接触部にその突部を相通する開口が形成されているようにする。
樹脂製ケース外側へ突出する突部はワイヤをガイドするとともに接地金属部材の開口の端辺からワイヤを保護するとともに、接地金属部材に設けられた開口にはまり込み接地金属部材が樹脂製ケースから外れるのを防止する。
【００１２】
また、請求項３に示すよう、前記接地金属部材の導通端部は複数の連続片により保持部から連続して形成され、その複数の連続片を連結する連結部により連続片がその端部で連結されるよう形成されている。
このようにすると、連続片がその先端方向で導通端部により連結された状態となるので、連続片を細くしても強度が保たれ、樹脂製ケースに設ける開口を小さくでき、また、接触部が大きく構成できるので、ジャックの金属ケースとの接触をより確実なものとできる。
【発明の効果】
【００１３】
以上のように、本発明によるジャック用ケースを用いれば、機器に対するジャックの取り付け位置を印刷配線板の位置に関係なく決定できるため、外観あるいは内部の構成を比較的自由に構成できる。
また、接地のための印刷配線基板やワイヤが必要ないため、構成が簡単なものとなりコストの増加や工程を増やすことなく確実な接地が可能となる。
【発明を実施するための最良の形態】
【００１４】
図１に本願発明のジャック用ケースを用いたハーネス１を示す。このハーネス１は例えばＩＥＥＥ１３９４規格に基づく信号を伝達するもので、ジャック部２とプラグ部３がシールドワイヤ４で接続され、デジタルテレビなどの機器内に取り付けられる。
シールドワイヤ４の一端側に設けられたジャック部２はジャック２０とそのジャック２０を筺体に取り付けるためのジャック用ケース１０で構成され、例えばテレビの筺体内部に取り付けられる。ジャック２０には外部機器からの信号を受けるため、外部機器から延ばされたプラグが差し込まれる。
シールドワイヤ４の他端側に取り付けられたプラグ部３は、例えば機器の内部に設けられた印刷配線板へ、外部機器からの信号を、、ジャック部２を介して伝送するため、印刷配線板へ取り付けられた他のジャックあるいはコネクタへ接続される。本発明では、このプラグ部３は直接関係がないのでその説明を省略する。
【００１５】
図２〜４により、ジャック部２に用いられるジャック２０の構成を説明する。ジャック２０は一礼としてのＩＥＥＥ１３９４規格に基づく接続のためのコネクタである。
ここで、図２はジャック部２をプラグ差し込み方向から見た正面図を示し、図３は図２の線Ａ−Ａにおけるジャック部２の側部断面図を示し、図４はジャック２０の外観斜視図を示すものである。
シールドワイヤ４の先端に接続されたジャック２０は、シールドケース２１、４本の接続端子２５、その接続端子２５をシールドケース２１に対して保持するインシュレータ２６およびシールドケース２１の下面側を覆いそのシールドケース２１と電気的に接続される接続板２７で構成されている。インシュレータ２６は樹脂製で射出成形により形成されシールドケース２１の中に組み込まれる、いわゆるハウジングを構成している。
シールドケース２１は電気的に導通性のある金属板で四角の筒状に形成され、底面側で底面２１ａに隣接してシールドケース２１内部にインシュレータ２６を配置するための開放部２１ｂを有し、プラグ接続側にはＩＥＥＥ１３９４規格に基づき凸部２１ｃを有する開口部２１ｄが設けられている。
【００１６】
シールドケース２１にはまた、シールドワイヤ４の網組線４ａをカシメにより接続する円筒部２１ｅが、幅の狭い接続部２１ｆを介して一体に形成されている。
シールドケース２１の側面は、プラグ接続側とシールドワイヤ側がスリット２１ｇにより分割され、シールドワイヤ４側の側面の幅をプラグ接続側より広くしてあり、開口部２１ｄ側から見てスリット２１ｇのシールドワイヤ側端面２１ｈが見えるようになっている。
シールドケース２１内には樹脂の射出成型で形成された絶縁体であるインシュレータ２６が装着される。インシュレータ２６の外形はシールドケース２１内に収まるよう角柱状に形成され、中心側には外部機器からのプラグが装着される開口２６ａが形成されている。開口２６ａ内には端子２５を支持する支持部２６ｂが規格に基づいた形状で設けられ、また、支持部２６ｂに形成された貫通溝２６ｃに端子２５が取り付けられている。
【００１７】
端子２５は導電性ばね材に金メッキ等が施され、外部機器からのプラグの端子と接触して導通し支持部２６ｂに保持される接触部２５ａ、貫通溝２６ｃに取付け保持される保持部２５ｂおよびシールドワイヤ４の心線４ｂに半田付けで接続される接続部２５ｃが一体的に形成されている。
端子２５と心線４ｂはインシュレータ２６のシールドワイヤ側で、シールドケース２１と接続板２７に囲まれた空間で接続されている。
【００１８】
接続板２７はシールドケース２１より薄い導電性ばね材で形成されている。この接続板２７はシールドケース底面２１ａの開放部２１ｂを覆う底面部２７ａと、シールドケース開口部２１ｄ側にＵ字状に曲げられた凸状の接触部２７ｃで形成されている。
接触部２７ｃには外部機器からのプラグのシールドケースが接続される。また、接続板２７はカシメ等でシールドケース２１へ取り付けられる。接続板２７とシールドケース２１は共に導通状態でシールドワイヤ４の網組線４ａと円筒部２１ｅで接続される。
このように構成されたジャック２０は後述のジャック用ケース１０を構成する下ケース１１に、ジャック２０の開口部２１ｄが支持部１１ｂの開口１５から突出するよう取り付けられる。また、同じくジャック用ケース１０を形成する上ケース１２には、導通板３０が取り付けられている。
【００１９】
次に、図５〜図７によりジャック部２をテレビ等の機器に取り付けるためのジャック用ケース１０について説明する。図５はジャック用ケース１０を構成する下ケース１１を、図６は上ケース１２を、そして図７は導通板３０をそれぞれ示している。
ジャック部２を構成するジャック用ケース１０は、ジャック２０が挿通される支持部１１ｂを有する下ケース１１とシールドワイヤ４が挿通される開口１６を有する上ケース１２および上ケース１２に取り付けられジャック２０のシールドケース２１と接触する接触部３１を有する導通板３０で構成されている。下ケース１１、上ケース１２はジャック２０を収納する樹脂製ケースを構成し、導通板３０はジャック２０のシールドケース２１を機器の金属シャーシへ導通させる接地金属部材を構成している。
【００２０】
図５により下ケース１１を説明する。下ケース１１は樹脂製で射出成型により形成され、ジャック２０が載置される載置部１１ａ、載置部１１ａの一端側に設けられ、ジャック２０が挿通される開口１５が形成された枠状の支持部１１ｂ、およびジャック用ケース１０を機器の筺体に取り付ける取付け片１１ｃで構成さされている。
載置部１１ａは接続板２７の底面部２７ａが載置されるよう平面状に形成され、両側端部にはシールドケース２１の側面部の位置を規制する側壁１１ｅ、１１ｆが一体に形成されている。枠状の支持部１６は載置部１１ａの一端側に四角筒形状で一体に形成され、開口１５はシールドケース２１の外形とほぼ等しく、枠によりジャック２０のプラグ差し込み側を支持するようになっている。
【００２１】
側壁１１ｅ、１１ｆの内側には位置決めのための凸部（図示せず）が形成され、上述のシールドケース２１に設けられた端面２１ｈを当接させ、下ケース１１とジャック２０のプラグ差し込み方向の位置を規制している。
取付け片１１ｃは側壁１１ｅ、１１ｆからリブ状に側方に突出され、ビス等で機器の筺体に取り付けるために開口１１ｇが設けられている。
【００２２】
図６により上ケース１２を説明する。上ケース１２はその上面１２ａおよび側壁１２ｂ、１２ｃが、下ケース１１に取り付けられたときに支持部１１ｂの上面および側面とほぼ同一面となるような矩形の箱状に形成されている。支持部１１ｂの反対側には、シールドワイヤ４を挿通するための円形の開口１６が設けられた後壁１２ｄが、上面１２ａと直角になるよう設けられている。また、後壁１２ｄの外側には開口１６の外周に沿って円筒状の補強用のリブ１６ａが設けられている。後壁１２ｄは載置部１１ａの後端を覆うよう側壁１２ｂ、１２ｃから突出するよう形成されている。また、このリブ１６ａはシールドワイヤ４をガイドすると共に後述の導通板３０の開口２８の端辺からシールドワイヤ４を保護する役割を持っている。
【００２３】
上ケース１２はこれら上面１２ａ、側壁１２ｂ、１２ｃ等が樹脂成型で一体に形成されている。
上ケース１２の上面１２ａにはまた、導通板３０を取り付けるための切欠き１３ａおよび開口１３ｃが設けられている。切欠き１３ａは上面１２ａの支持部１１ｂ側端部に矩形に切りかかれた形状で形成されている。本実施例では支持部１１ｂと接する辺の両側壁１２ｂ、１２ｃ寄りに設けられている。さらに上面１２ａには開口１３ｃが上面１２ａの中間位置で側壁１２ｂ、１２ｃ寄りに設けられている。
上ケース１２は側壁１２ｂ、１２ｃが下ケース１１の側壁１１ｅ、１１ｆに合わせて接着あるいは図示しない接続用フック等で下ケース１１に取り付けられる。その際上ケース１２の支持部１１ｂ側端辺は切欠き１３ａ以外支持部１１ｂとの間に隙間ができないよう取り付けられ、全体として矩形状となるようになっている。
【００２４】
上ケース１２には導通板３０が取り付けられる。その導通板３０を図７により説明する。図７（ａ）はその斜視図を示し、図７（ｂ）はその側面図、図７（ｃ）はその正面図を示す。
導通板３０はステンレス等の導電性のある板ばね材でプレス加工等により形成され、上ケース１２の上面１２ａに沿って取り付けられる平面状の天面部３０ａ、天面部３０ａから一体に曲げられ後壁１２ｄに対向する接触面３０ｂ、およびジャック２０のシールドケース２１に接触する接触部３1で構成されている。
接触面３０ｂには上ケース１２の補強用リブ１６ａが挿通する円形の開口２８が設けられている。この開口２８は補強用リブ１６ａに掛かるよう形成され、導通板３０が上ケース１２のシールドワイヤ４側から外れてしまうのを防いでいる。接触面３０ｂは曲げ辺３０ｄにより上ケース１２に沿った位置で鈍角に曲げられ、その端辺部３０ｃは後壁１２ｄから離れた所に位置する。
【００２５】
天面部３０ａにはその中央部の側辺両側に切起こし状の取付け片３０ｅを形成する。この取付け片３０ｅは上ケース１２の開口１３ｃに差し込まれ、導通板３０を上ケース１２へ固定するのに用いられる。
天面部３０ａの曲げ辺３０ｄの反対側には、接触部３１が、二つの連続片３０ｆにより一体的に形成されている。接触部３１は連続片３０ｆが切欠き１３ａを通ることで上ケース１２内へ収納され、ジャック用ケース１０内に収容されたジャック２０のシールドケース２１に接触する。
【００２６】
ここで、二つの連続片３０ｆは横向きで略Ｕ字状に曲げられ、その先端部には曲げ部３０ｈを介して連結部３０ｇが形成されている。連結部３０ｇには略Ｕ字状の接触片３１aが形成されている。導通板３０は、連続片３０ｆの天板部３０ａ側と曲げ部３０ｈにより上ケース１２の切欠き１３ａの後壁１２ｄ側を挟んで上面１２ａに取り付けられる。接触片３１ａはＵ字の底部がシールドケース２１に接触するよう成型されている。
接触片３１ａはジャック２０がジャック用ケース１０に収容されたときにシールドケース２１に押圧された状態で接触するが、曲げ部３０ｈが上面１２ａの内側に当たり、その曲げ部３０ｈを支点としてたわんだ状態でジャック２０のシールドケース２１と接するようになっている。
このように曲げ部３０ｈが支点となることで、強い接触力を保つことができる。また、Ｕ字状の連続片３０ｆで上ケース１２を挟むことで、導通板３０をより確実に上ケース１２へ取り付けることができる。
【００２７】
また、このように連結部３０ｇで一体的に接触部３１を形成すれば、導通板３０の先端に設けた接触部３１の強度を上げることができる。
本実施の形態では、この接触部３１は連結部３０ｇで一体となっているが、連続片３０ｆを延ばし、独立させて接触部を構成させても良い。この接触部３１の形状はジャック２０との接触圧を適度に保てるよう形状であれば適宜決定できる。
また、上述の構成は接触部３１を連続片３０ｆより内側に形成したが、上ケース１２の開口１３ａの位置によっては接触部３１をジャック開口側に設けても良い。その場合連続片３０ｆをＵ字状に形成しなくても良いので、導通板３０の形状を簡素にすることができる。
次に、図８および図９によりジャック部２を組み立てる作業を説明する。図８はジャック２０、下ケース１１，上ケース１２および導通板３０の組み立て作業を示した斜視図である。
まず、上ケース１２へ導通板３０を取り付ける。導通板３０の接触部３１を上ケース１２の上面１２ａのプラグ差し込み側から上面１２ａの下側へ差し込み、連続部３０ｆを切欠き１３ａへ装着する。このとき、天板部３０ａは接触部３１側が上面１２ａに取り付けられ、支点となった状態で、曲げ辺３０ｄ側が上面１２ａから離れている。
次に接触面３０ｂの端辺部３０ｃを広げて接触面３０ｂをリブ１６ａの外側を通過できるような状態とし、そのまま接触部３１側を支点として導通板３０を回転させる。そうして取り付け片３０ｅを開口１３ｃへ装着し、リブ１６ａを開口２８へ挿通する。そうして天板部３１ａを上面１２ａと接した状態となるよう導通板３０を上ケース１２へ取り付ける。
そしてシールドワイヤ４を、プラグ部３を取り付けていない端部（図示せず）を、切欠き１３ａ側から開口１６へ挿通し、ジャック２０を上ケース１２の位置へ移動させる。
ジャック２０をプラグ差し込み側から下ケース１１の支持部１１ｂへ差し込み、開口部２１ｄを開口１５から露出させると共に、載置部１１ａへ装着する。
そうして、導通板３０が取り付けられ、シールドワイヤ４が開口１６に挿通された上ケースをしたケースに取り付け固定する。図９は組み立てが完成したジャック部２の斜視図を示したものである。
【００２８】
上述で説明したジャック部２を機器の筺体に取り付け、ジャック２０を機器の金属シャーシへ接地する構成を図８により説明する。
図１０は機器の筺体４０の断面および筺体４０を支持する金属製のシャーシ４１の断面を示す。筺体４０は例えばデジタルテレビ等の筺体で、その後部を示し、ジャック用ケース１０、ジャック２０および導通板３０からなるジャック部２を取り付けるための支持リブ４２およびジャックの開口２１ｄを機器外部へ突出させる開口４３が設けられている。ジャック用ケース１０は下ケース１１に設けられた取付け片１１ｃをビス等で支持リブ４２に固定することで筺体４０へ取り付けられる。
ここで、例えば取付け片１１ｃを下ケース１１の支持部１１ｂに、その開口１５と平行に設ければ、リブ４２を用いず筺体４０の内側へ直接取り付けることもできる。
【００２９】
シャーシ４１は亜鉛メッキコートが施された鉄板などで形成されたもので、制御用印刷配線板が配置されると共に、筺体４０を支持、補強するもので、例えば印刷配線板の接地パターンが接続され、電気的にアースの役割を果たしている。
このシャーシ４１は筺体４０のジャック部取り付け位置で箱状に形成され、上辺部４１ａおよび背面部４１ｂが形成されている。
ここで、ジャック用ケース１０の上ケース後壁１２ｄとシャーシ４１の背面部４１ｂとの間隔、すなわち導通板３０の曲げ辺３０ｄと背面部４１ｂとの間隔Ｌ１（図１０に示す）はジャック用ケース１０が筺体４０に取り付けられていない状態での曲げ辺３０ｄと端片部３０ｃとの距離Ｌ２（図９に示す）よりも小さいものとしておく。
【００３０】
このような取り付け状態で、導通板３０の一方であるジャック２０側は接触部３１の接触片３１ａがジャック２０のシールドケース２１に接し、導通板３０の他方である端片部３０ｃがシャーシ４１に接する。
この構成によりジャック２０は接地電位であるシャーシ４０とそのノイズ遮蔽手段であるシールドケース２１を接続させ、シールドケース２１を接地させることでジャック２０へのノイズの侵入を防止する。
【００３１】
この構成からもわかるように、本願発明のジャック用ケースによれば、特に接地のための印刷配線板や接地用ワイヤを必要とせず、射出成型、プレス加工といった比較的簡単な工作によって作成可能な部品を用いて、ジャックの接地構造を得ることができる。
【００３２】
尚、上述の実施の形態では、樹脂製ケースとしての下ケース１１および上ケース１２をほぼ矩形状とし、接地金属部材としての導通板３０を板状導電板で形成したが、円筒状の樹脂製ケース、同様に円筒状の導通板を用いても良く、形状が実施の形態に限定されるものではない。
【図面の簡単な説明】
【００３３】
【図１】本発明の実施の形態におけるジャック部を備えたハーネスを示す全体図である。
【図２】本発明の実施の形態におけるジャック部のプラグ差し込み側から見た正面図である。
【図３】本発明の実施の形態におけるジャック部の側断面を示す図で、図２の切断線Ａにおける即断面ある。
【図４】本発明の実施の形態におけるシールドケースを有するジャックを示す斜視図である。
【図５】本発明の実施の形態における下ケースを示す斜視図である。
【図６】本発明の実施の形態における上ケースを示す斜視図である。
【図７】本発明の実施の形態における導通板を示し、（ａ）はその斜視図、（ｂ）はその側面図、（ｃ）はその正面図を示す。
【図８】本発明の実施の形態におけるジャック部の組み立てを示す斜視図である。
【図９】本発明の実施の形態におけるジャック部の組み立てが完了した斜視図である。
【図１０】本発明の実施の形態におけるジャック部を機器に取り付けた側面断面図である。
【図１１】従来のジャックの接地構造を示す斜視図である。
【符号の説明】
【００３４】
１  ハーネス
２  ジャック部
３  プラグ部
４  シールドワイヤ
１０  ジャック用ケース
１１  下ケース
１２  上ケース
１３  切欠き
１５、１６、２８  開口
２０  ジャック
２１  シールドケース
２２  本体部
２５  接続端子
２６  インシュレータ
２７  接続板
３０  導通板
３１  接触部
【図１】
2008186734.tif 000003
【図２】
2008186734.tif 000004
【図４】
2008186734.tif 000005
【図５】
2008186734.tif 000006
【図６】
2008186734.tif 000007
【図７】
2008186734.tif 000008
【図８】
2008186734.tif 000009
【図９】
2008186734.tif 000010
【図１０】
2008186734.tif 000011
【図１１】
2008186734.tif 000012
【図３】
2008186734.tif 000013